(57)【要約】【課題】撮像装置の小型化を図るとともに、シャッタユニットを動作させるモータを装置本体の角隅部の外装近傍に配置しても撮像装置の落下等による衝撃から保護する仕組みを提供する。【解決手段】撮像装置は、装置本体の角隅部の外装近傍にシャッタユニット２０を動作させるモータ２０３が配置される。シャッタユニット２０は、フロントベース１０の背面側に締結され、フロントベース１０には、モータ２０３が収納される開口部１０１が形成されるとともに、開口部１０１の周囲にモータ２０３の外周を覆う保護壁１０２が設けられる。保護壁１０２は、装置本体の角隅部に位置する壁部１０２ｂの厚みを他の壁部１０２ａの厚みより薄くし、かつ壁部１０２ｂとモータ２０３との隙間寸法ｈが他の壁部１０２ａとモータ２０３との隙間寸法ｇより大きくなるように形成される。【選択図】図８
2014007565.tif 000002
【特許請求の範囲】
【請求項１】
装置本体の角隅部の外装近傍にシャッタユニットを動作させるモータが配置される撮像装置であって、
前記シャッタユニットは、フロントベースの背面側に締結され、
前記フロントベースには、前記モータが収納される開口部が形成されるとともに、前記開口部の周囲に前記モータの外周を覆う保護壁が設けられ、
前記保護壁は、前記装置本体の角隅部に位置する壁部の厚みを他の壁部の厚みより薄くし、かつ前記装置本体の角隅部に位置する壁部と前記モータとの隙間寸法が前記他の壁部と前記モータとの隙間寸法より大きくなるように形成されることを特徴とする撮像装置。
【請求項２】
前記シャッタユニットには、前記開口部を挿通する保護リブが設けられ、
前記保護壁は、その先端が前記保護リブより前記装置本体の外装に近接して配置されることを特徴とする請求項１に記載の撮像装置。
【請求項３】
前記モータの端子部は、前記保護リブと同一方向に延出して設けられ、
前記保護リブは、前記端子部より前記装置本体の外装の側に突出して設けられることを特徴とする請求項２に記載の撮像装置。
【発明の詳細な説明】
【技術分野】
【０００１】
本発明は、例えばデジタルカメラ等の撮像装置に関する。
【背景技術】
【０００２】
デジタルカメラ等の撮像装置では、モータを用いてシャッタユニットを動作させる方式として、シャッタ羽根を鉛直方向に動かすフォーカルプレーンシャッタ方式が一般に採用される。
【０００３】
また、近年の撮像装置の小型化及び省電力化に伴い、シャッタユニット自体の小型化及び高効率な駆動構造が求められている。これらの要求に応えるものとして、シャッタユニットの端部にモータ設けて撮像装置の角隅部の外装近傍に配置することで、撮像装置の小型化を図ることが行われている。
【０００４】
モータを撮像装置の角隅部の外装近傍に配置する例としては、長方形の筺体の短手側端部の中央部分を長手方向に切り欠き、その切り欠き部分の両端側のスペースの一方にストロボ用コンデンサ、他方にレンズ駆動モータを配置したものがある（特許文献１）。
【０００５】
また、撮像装置に内蔵されるモータを外圧から保護する構造として、ストロボ窓部とそれを支持するストロボケースにより鏡筒駆動モータのストロボ窓側に対向する面及び複数面を覆う技術が提案されている（特許文献２）。
【先行技術文献】
【特許文献】
【０００６】
【特許文献１】特開２００６−６４７８０号公報
【特許文献２】特開２００７−３３５１１号公報
【発明の概要】
【発明が解決しようとする課題】
【０００７】
しかし、上記特許文献１では、モータが撮像装置の角隅部の外装近傍に配置されて撮像装置の小型が図られているが、角隅部は、撮像装置の落下などによる衝撃に弱い為、変形等によるモータの破損が懸念される。
【０００８】
上記特許文献２では、ストロボ窓部とそれを支持するストロボケースにより鏡筒駆動モータを覆うため、モータが衝撃等の外圧から保護されるが、モータ駆動時にモータとストロボケースとの接触により異音等が発生する懸念がある。この場合、モータとストロボケースとの間に大きなクリアランスを設けると、両者の接触は回避することができるが、撮像装置の大型化を招くことになる。
【０００９】
そこで、本発明は、撮像装置の小型化を図ることができるとともに、シャッタユニットを動作させるモータを装置本体の角隅部の外装近傍に配置しても撮像装置の落下等による衝撃から保護することができる仕組みを提供することを目的とする。
【課題を解決するための手段】
【００１０】
上記目的を達成するために、本発明の撮像装置は、装置本体の角隅部の外装近傍にシャッタユニットを動作させるモータが配置される撮像装置であって、前記シャッタユニットは、フロントベースの背面側に締結され、前記フロントベースには、前記モータが収納される開口部が形成されるとともに、前記開口部の周囲に前記モータの外周を覆う保護壁が設けられ、前記保護壁は、前記装置本体の角隅部に位置する壁部の厚みを他の壁部の厚みをより薄くし、かつ前記装置本体の角隅部に位置する壁部と前記モータとの隙間寸法が前記他の壁部と前記モータとの隙間寸法より大きくなるように形成されることを特徴とする。
【発明の効果】
【００１１】
本発明によれば、撮像装置の小型化を図ることができるとともに、シャッタユニットを動作させるモータを装置本体の角隅部の外装近傍に配置しても撮像装置の落下等による衝撃から保護することができる。
【図面の簡単な説明】
【００１２】
【図１】本発明の撮像装置の実施形態の一例であるレンズ着脱式のデジタルカメラを正面側から見た図である。
【図２】シャッタユニットを正面側から見た斜視図である。
【図３】図２に示すシャッタユニットからシャッタプレートを取り外した状態を示す斜視図である。
【図４】シャッタ羽根が図３の矢印Ｓ方向に移動した状態を示す正面図である。
【図５】シャッタユニットをフロントベースに締結した状態を示す正面図である。
【図６】図５の背面図である。
【図７】シャッタユニットをフロントベースに締結した状態を示す斜視図である。
【図８】図５のＸ部の拡大詳細図である。
【図９】図８のＶ−Ｖ線断面図である。
【発明を実施するための形態】
【００１３】
以下、本発明の実施形態の一例を図面を参照して説明する。
【００１４】
図１は、本発明の撮像装置の実施形態の一例であるレンズ着脱式のデジタルカメラを正面側から見た図である。
【００１５】
図１に示すように、本実施形態のデジタルカメラは、カメラ本体３０の正面側に、不図示のレンズ鏡筒が着脱可能に装着されるマウント３０３が設けられる。マウント３０３にレンズ鏡筒が装着された状態において、レンズ鏡筒の撮影光学系を通過した被写体光は、撮像素子３０４で光電変換されて、画像信号として不図示の制御部に出力される。
【００１６】
また、カメラ本体３０を正面側から見て右下の角隅部には、後述するシャッタユニット２０（図２参照）を動作させるモータ２０３が外装部材３０１の内面近傍に位置して配置されている。ここで、カメラ本体３０は、本発明の装置本体の一例に相当する。
【００１７】
図２はシャッタユニット２０を正面側から見た斜視図、図３は図２に示すシャッタユニット２０からシャッタプレート２０１を取り外した状態を示す斜視図、図４はシャッタ羽根２０８が図３の矢印Ｓ方向に移動した状態を示す正面図である。
【００１８】
図２及び図３において、シャッタカバー２０９のカメラ本体３０の正面側に、シャッタプレート２０１が配置され、シャッタプレート２０１には、モータ２０３の近傍位置で正面側に突出してモータ２０３を保護する保護リブ２０２が設けられている。ＦＰＣ（フレキシブルプリント基板）２０４は、モータ２０３やシャッタユニット２０の電気部品に対して電源や制御信号の授受を行う。
【００１９】
ギア列２０５は、複数の平歯車で構成され、モータ２０３の駆動力をチャージレバー２０６に伝達する。ドライブレバー２０７は、不図示の付勢部材によって回転方向（図３の反時計周り方向）に付勢される。ドライブレバー２０７には、シャッタ羽根２０８が連結されている。また、シャッタプレート２０１及びシャッタカバー２０９には、レンズ鏡筒を通過した被写体光を撮像素子３０４に導くための開口部２１１が形成されている。
【００２０】
ところで、一般的なシャッタ機構は、先幕及び後幕によって構成される。先幕のシャッタ羽根が光を遮ることで撮像素子による撮像が開始し、続いて後幕のシャッタ羽根が光を遮ることで撮像素子による撮像が停止する。本実施形態におけるシャッタユニット２０では、前述の先幕の機能を撮像素子３０４が電気的に行い（電子先幕）、後幕の機能のみをシャッタ羽根２０８が行うものとして説明する。
【００２１】
図３は、撮像素子３０４による電子先幕の動作を行った後、後幕のシャッタ羽根２０８が動作する直前の状態、すなわち撮影待機状態を示している。ドライブレバー２０７は、シャッタカバー２０９に回転可能に支持され、不図示の付勢部材により図中の反時計周り方向に付勢されている。
【００２２】
図３の状態では、ドライブレバー２０７は、ＦＰＣ２０４に接続された不図示の電磁石ユニットの磁力により固定されている。そして、後幕動作の開始と共に、電磁石ユニットの磁力が作用しなくなり、ドライブレバー２０７は、付勢方向（反時計周り方向）へ動作し、ドライブレバー２０７に連結されたシャッタ羽根２０８が図中Ｓ方向へ移動する。
【００２３】
図４は、シャッタ羽根２０８が図３のＳ方向へ移動し、開口部２１１を覆った状態を示している。図４の状態では、シャッタ羽根２０８が開口部２１１を覆うことで、レンズ鏡筒から撮像素子３０４へ入射する被写体光を遮断し、後幕動作を完了する。ここで、本実施形態では、ドライブレバー２０７、シャッタ羽根２０８及び電磁石ユニットによりシャッタ駆動系を構成する。
【００２４】
次に、後幕動作の完了後、図４の状態から、シャッタ羽根２０８を図３の状態に戻す際の動作について説明する。
【００２５】
まず、モータ２０３を駆動してギア列２０５を介してチャージレバー２０６を動作させる。チャージレバー２０６は、シャッタプレート２０１に回転可能に支持されており、モータ２０３の駆動力がギア列２０５を介して伝達されることで、図３にて反時計周り方向に所定量回転する。
【００２６】
このとき、チャージレバー２０６の一部がドライブレバー２０７に当接して、ドライブレバー２０７を付勢部材の付勢力に抗して図の時計周り方向に回転させる。これにより、ドライブレバー２０７に連結されたシャッタ羽根２０８は矢印Ｓ方向と反対方向へ移動し、図３に示す撮影待機状態へと移行する。ここで、本実施形態では、モータ２０３、ギア列２０５及びチャージレバー２０６により、シャッタチャージ機構を構成する。
【００２７】
上述したように、シャッタ羽根２０８は、開口部２１１を覆う必要がある為、シャッタ駆動機構は、開口部２１１の側部に配置されるのが、スペース上及び動作上最も効率的である。一方、シャッタチャージ機構は、モータ２０３の駆動力を効率良く伝達させる為、ギア列２０５を平歯車で構成し省電力化を図っている。この為、モータ２０３は、出力軸の軸線がカメラの厚み方向（撮影光軸方向）を向くように配置される。
【００２８】
このような平歯車で構成したギア列を持つシャッタチャージ機構を用いて効率よくシャッタ駆動機構を動作させたい場合、シャッタ駆動機構の近傍にシャッタチャージ機構を配置することが望ましい。本実施形態のデジタルカメラでは、機能・使い勝手の面から、不図示のカメラ操作部材やストロボ・ＡＦ補助光源がカメラ本体３０の上面側へ配置される為、シャッタチャージ機構はシャッタ駆動機構の下方へ配置している。
【００２９】
この為、モータ２０３は、必然的にカメラ本体３０を正面側から見てカメラ本体３０の右下の角隅部の外装近傍への配置となり、これにより、デジタルカメラの小型化を図ることが可能となる。また、シャッタユニット２０をデジタルカメラに適用する場合、図１に示すように、デジタルカメラのカメラ本体３０の外形をシャッタユニット２０の外形に合わせた形状とすることにより、デジタルカメラの更なる小型化を図ることが可能となる。
【００３０】
ところで、モータ２０３は、落下などによる衝撃に弱いことが一般に知られている。また、シャッタユニット２０の小型化の為、モータ２０３がシャッタユニット２０の外観に露出した状態で配置されている。
【００３１】
そこで、本実施形態では、シャッタプレート２０１におけるカメラ本体３０の正面側のモータ２０３の近傍位置には、モータ２０３から正面側に突出する保護リブ２０２がモータ２０３の出力軸の軸線と略平行になるように設けられている。この為、例えばデジタルカメラを落下させてしまった場合も、カメラ本体３０の正面側では保護リブ２０２がモータ２０３より先に外装部材３０１に当接する為、モータ２０３が直接ダメージを受けることなく、モータ２０３を保護することが可能となる。
【００３２】
図５はシャッタユニット２０をフロントベース１０に締結した状態を示す正面図、図６は図５の背面図、図７はシャッタユニット２０をフロントベース１０に締結した状態を示す斜視図である。
【００３３】
図５〜図７に示すように、シャッタユニット２０は、フロントベース１０の背面側に配置される。フロントベース１０には、マウント３０３や撮像素子３０４が取り付けられ、マウント３０３は、フロントベース１０の正面側に配置され、撮像素子３０４は、シャッタユニット２０の背面側に配置される。また、本実施形態では、フロントベース１０は、マグネシウム合金で鋳造された部材として形成されている。
【００３４】
シャッタユニット２０をフロントベース１０の背面側から組み込む際、位置決め部１０３では、フロントベース１０に設けられた２つの位置決めボスとシャッタユニット２０に設けられた２つの位置決め穴がそれぞれ嵌合することによって互いの位置が決められる。この状態で、３カ所の締結部１０４においてビス等で固定することで、フロントベース１０とシャッタユニット２０が締結される。
【００３５】
かかる締結状態においては、図５に示すように、モータ２０３は、フロントベース１０のカメラ本体３０の正面側から見て右下の角隅部に形成された開口部１０１に収納される。また、シャッタプレート２０１に設けられた保護リブ２０２も開口部１０１を挿通してカメラ本体３０の正面側に突出して配置される。
【００３６】
フロントベース１０の開口部１０１の周囲には、カメラ本体３０の正面側に突出してモータ２０３の外周を全周にわたって覆う保護壁１０２が形成されている。なお、保護壁１０２は、開口部１０１の内周面から連続して形成されており、従って、開口部１０１の内周面も保護壁１０２の一部を形成する。
【００３７】
本実施形態では、フロントベース１０とシャッタユニット２０は、他の部材を介さずに直接位置決め・締結がされる為、部品寸法の公差のバラつきを最小限に押さえることが可能となる。これにより、開口部１０１とモータ２０３との隙間寸法を小さくすることができ、また、フロントベース１０とシャッタユニット２０との締結構造体を小型化できる為、デジタルカメラの小型化にも寄与する。
【００３８】
更に、保護壁１０２は、モータ２０３の周囲において周方向に連続して全周に配置されている為、保護壁１０２をある程度薄肉に形成しても保護壁としての強度を保つことが可能であると同時にモータ２０３の保護構造を小型にすることが可能である。
【００３９】
図８は、図５のＸ部の拡大詳細図である。図８に示すように、モータ２０３を保護する保護壁１０２は、カメラ本体３０の正面側から見た場合に、モータ２０３の右側に配置された右壁部１０２ａ、及びモータ２０３の右下角部に配置された右下壁部１０２ｂを有する。
【００４０】
また、右壁部１０２ａの厚さ寸法はＧ、右下壁部１０２ｂの厚さ寸法はＨとされ、モータ２０３の右側面と右壁部１０２ａとの隙間寸法はｇ、モータ２０３の右下面と右下壁部１０２ｂとの隙間寸法はｈとされている。
【００４１】
図８から判るように、保護壁１０２は、部位によって肉厚及びモータ２０３との隙間寸法が異なるように形成されている。これは、例えばデジタルカメラの外観デザインの都合などによって、保護壁１０２を外装部材３０１側へ寄せてモータ２０３と保護壁１０２との隙間を大きくとれる部位が存在することによる。
【００４２】
本実施形態では、右下壁部１０２ｂでモータ２０３との隙間を大きくとり（ｈ＞ｇ）、また、右壁部１０２ａの肉厚（厚み）と比較して右下壁部１０２ｂの肉厚（厚み）を薄くして（Ｇ＞Ｈ）いる。これにより、例えば、図８の矢印Ｔの方向の衝撃を受けた場合に、右壁部１０２ａ側はほぼ変形せず、その代わりに、肉厚（厚み）を薄くした右下壁部１０２ｂが図中の破線Ｕの範囲で変形する。
【００４３】
このとき、右下壁部１０２ｂとモータ２０３との間には比較的大きな隙間を設定している為、右下壁部１０２ｂが変形してもモータ２０３に影響を与えにくい。このように、モータ２０３との隙間寸法を比較的大きく設定できる右下壁部１０２ｂを積極的に変形させることで、右下壁部１０２ｂがクラッシャブルゾーンの役割を果たし、モータ２０３を効果的により安全に保護することができる。なお、本実施形態では、成形性の理由により、保護壁１０２の一部にスリットＪを設けているが、モータ保護の機能は十分に発揮する。
【００４４】
図９は、図８のＶ−Ｖ線断面図である。図９において、インナー部材３０２は、外装部材３０１の正面側の内面に接着されて外装部材３０１と一体化されている。端子部２１０は、モータ２０３からカメラ本体３０の正面側（図９の左側）、すなわち、保護リブ２０２及び保護壁１０２と同一方向に突設され、ＦＰＣ２０４を介してモータ２０３に電源を供給する。
【００４５】
端子部２１０は、薄板状の金属で形成さており、モータ２０３のなかでも特に衝撃に弱く破損が懸念される部位である。また、端子部２１０は、モータ２０３に電源を供給する部位であるため、金属と接触するとショートし、モータ２０３を電気的に損傷させてしまうおそれがある。この為、端子部２１０をカメラの落下時等の衝撃から保護する構造が必要である。
【００４６】
図９を参照して、デジタルカメラの落下等の衝撃によって端子部２１０の延出方向（図中Ｗ方向）へ力がかかった場合の動作について説明する。図９において、Ｌは、インナー部材３０２とフロントベース１０に設けられた保護壁１０２との隙間寸法、Ｍは、インナー部材３０２とシャッタプレート２０１に設けられた保護リブ２０２との隙間寸法をそれぞれ示している。また、Ｎは、保護リブ２０２と端子部２１０とのＷ方向の高さ方向の寸法差を示している。
【００４７】
ここで、フロントベース１０に設けられた保護壁１０２は、シャッタプレート２０１に設けられた保護リブ２０２よりもインナー部材３０２に近接する位置まで延出している（寸法Ｍ＞寸法Ｌ）。また、保護リブ２０２は、端子部２１０よりも外装部材３０１側に突出している（寸法Ｎ＞０）。
【００４８】
落下等により外装部材３０１が図中Ｗ方向へ衝撃力を受けた場合、フロントベース１０及びシャッタユニット２０は、相対的に図中Ｗ方向と逆の方向へ移動する力がかかる。このとき、まずフロントベース１０に設けられた保護壁１０２の先端がインナー部材３０２に突き当たり、衝撃によるエネルギーを減衰させる。
【００４９】
保護壁１０２の先端がインナー部材３０２に突き当たると、フロントベース１０の移動が止まり、シャッタユニット２０が図中Ｗ方向と逆方向へ移動する。その後、シャッタプレート２０１に設けられた保護リブ２０２がインナー部材３０２に突き当り、衝撃によるエネルギーをさらに減衰させる。
【００５０】
このとき、保護リブ２０２の先端は端子部２１０よりも外装部材３０１側に突出している為、保護リブ２０２が先にインナー部材３０２に突き当たり、端子部２１０は、外装部材３０１に接触することなく保護されることとなる。
【００５１】
このように、Ｗ方向（端子部２１０の延出方向）において、フロントベース１０及びシャッタユニット２０によって二段階に分けてモータ２０３を保護することが可能であり、より安全にモータ２０３を保護することができる。
【００５２】
以上説明したように、本実施形態では、デジタルカメラの小型化を図ることができるとともに、シャッタユニット２０を動作させるモータ２０３をカメラ本体３０の角隅部の外装近傍に配置してもデジタルカメラの落下等による衝撃から保護することができる。
【００５３】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００５４】
１０  フロントベース
２０  シャッタユニット
１０１  開口部
１０２  保護壁
２０１  シャッタプレート
２０２  保護リブ
２０３  モータ
２１０  端子部
３０１  外装部材
３０２  インナー部材
【図１】
2014007565.tif 000003
【図２】
2014007565.tif 000004
【図３】
2014007565.tif 000005
【図４】
2014007565.tif 000006
【図５】
2014007565.tif 000007
【図６】
2014007565.tif 000008
【図７】
2014007565.tif 000009
【図８】
2014007565.tif 000010
【図９】
2014007565.tif 000011